(57)【要約】【課題】表示エリアが小さいため機能設定を行うための画面が複数ページにおよぶ場合でも、機能設定画面が見やすく、かつ操作性もよい画像処理装置を提供する。【解決手段】操作表示部６に設けた操作表示画面６ａに表示される機能設定画面Ａの機能設定項目ボタンａ１〜ａ５を操作して、画像処理の機能設定を行うようにした画像処理装置Ｆであって、複数ページの機能設定画面Ａのそれぞれには改ページ操作ボタンｂを表示させ、かつ、機能設定画面Ａのそれぞれに表示された改ページ操作ボタンｂが操作されたときには、機能設定画面Ａのページを切替表示するようにした表示制御部１を備えている。【選択図】図３
2007142787.tif 000002
【特許請求の範囲】
【請求項１】
操作表示部に設けた操作表示画面に表示される機能設定画面の機能設定項目ボタンを操作して、画像処理の機能設定を行うようにした画像処理装置であって、
複数ページの機能設定画面のそれぞれには改ページ操作ボタンを表示させ、かつ、上記機能設定画面のそれぞれに表示された改ページ操作ボタンが操作されたときには、上記機能設定画面のページを切替表示するようにした表示制御部を備えたことを特徴とする画像処理装置。
【請求項２】
請求項１において、
上記改ページ操作ボタンは、表示枠の周枠の一部を欠落させて、上記操作表示画面の上、下、左、右いずれかの端部側に表示されるようにしていることを特徴とする画像処理装置。
【請求項３】
請求項１または２において、
上記機能設定画面は、上記改ページ操作ボタンが操作されたときには、所定のアニメーション表示態様を経由して、次ページに切替表示することを特徴とする画像処理装置。
【請求項４】
請求項１〜３のいずれかにおいて、
上記複数ページの機能設定画面のそれぞれには、現ページ番号をさらに表示させることを特徴とする画像処理装置。
【発明の詳細な説明】
【技術分野】
【０００１】
本発明は、機能設定を行うための、タッチパネルなどで構成された操作表示画面を有したファクシミリ装置などの画像処理装置の改良に関するものである。
【背景技術】
【０００２】
従来、ファクシミリ装置、複写機、複合機などの画像処理装置は、タッチパネルなどの操作表示画面や操作スイッチ、テンキーなどで構成された操作表示部を備えている。
【０００３】
一般にこの種の画像処理装置、特にフラットベッドスキャナなどの読取部や複数の記録紙カセットを含んだ印字出力部を備えたオフィス向けの大型のものは、省スペースのため、装置全体の大きさに比べて操作表示部の占める割合は小さく構成されている。
【０００４】
したがって、そのような画像処理装置では、操作表示画面の表示エリアも小さくなっているため、コピーやファクシミリ送信などの機能設定をするための機能設定画面を、複数の設定項目ボタンで構成したメニュー画面と、そこから階層的に個々の設定ができるようにした設定画面とに分けて画面構成したものが主流となっている。
【０００５】
次の特許文献には、機能設定画面を階層構成としたものが開示されている。
【特許文献１】特開２００５−２１７６６２号公報
【発明の開示】
【発明が解決しようとする課題】
【０００６】
しかしながら、操作表示画面が小さい装置では、機能設定のメニューですら全ての設定項目を表示エリア内に表示できない場合があり、そのような場合にはメニューを構成する複数の設定項目を複数ページに振り分けて表示するほかない。
【０００７】
ところが、そのようなメニュー表示では、設定項目の数や内容を把握しづらく、改ページ方法などを含む表示方式に工夫を必要とする。
【０００８】
本発明は、このような事情を考慮して提案されたもので、その目的は、表示エリアが小さいため機能設定を行うための画面が複数ページにおよぶ場合でも、画面が見やすく、かつ操作性もよい画像処理装置を提供することにある。
【課題を解決するための手段】
【０００９】
上記目的を達成するために、請求項１に記載の画像処理装置は、操作表示部に設けた操作表示画面に表示される機能設定画面の機能設定項目ボタンを操作して、画像処理の機能設定を行うようにした画像処理装置であって、複数ページの機能設定画面のそれぞれには改ページ操作ボタンを表示させ、かつ、機能設定画面のそれぞれに表示された改ページ操作ボタンが操作されたときには、機能設定画面のページを切替表示するようにした表示制御部を備えたことを特徴とする。
【００１０】
請求項２では、改ページ操作ボタンが、表示枠の周枠の一部を欠落させて、操作表示画面の上、下、左、右いずれかの端部側に表示されるようにしていることを特徴とする。
【００１１】
請求項３では、機能設定画面は、改ページ操作ボタンが操作されたときには、所定のアニメーション表示態様を経由して、次ページを切替え表示することを特徴とする。
【００１２】
請求項４では、複数ページの機能設定画面のそれぞれに、現ページ番号をさらに表示させることを特徴とする。
【発明の効果】
【００１３】
請求項１に記載の画像処理装置によれば、操作表示画面に表示される機能設定画面は改ページ操作ボタンを備え、その改ページ操作ボタンの操作がされるごとに、複数ページからなる操作表示画面をサイクリックに表示切替するようにしているため、機能設定の設定項目が複数ページにまたがっていても簡単な操作で順次表示させることができ、かつ設定項目の数や内容を容易に利用者に把握させることができる。
【００１４】
請求項２に記載の画像処理装置によれば、改ページ操作ボタンが機能設定画面の上、下、左、右いずれかの端部側に配置されており、その改ページ操作ボタンの端部側を表示枠なしにして表示するようにしているので、その枠なし表示により、そのページに続く画面が存在することを瞬時に理解することができる。
【００１５】
請求項３に記載の画像処理装置によれば、改ページ操作ボタンが操作されたときには、次ページ画面を所定の切替表示態様にて表示するようにしているので、例えば改ページ操作をすると、画面を消去した後に次のページを上や下側から移動表示させたり、画面中央から縮小画面を徐々に大きく表示させたりすれば、次ページに切り替わっていることを視覚的に理解することができる。
【００１６】
請求項４に記載の画像処理装置によれば、機能設定画面にはさらに現ページ番号を表示させているので、利用者は現在どのページであるかを把握することができる。
【発明を実施するための最良の形態】
【００１７】
以下に、本発明の実施形態について、図面を参照しながら説明する。本実施例１、２では、画像処理装置としてファクシミリ／コピー複合機を示しているが、本発明は、ファクシミリ装置、複写機、プリンタのような単独機能機器、これを組み合わせた複合機として適用できることはいうまでもない。
【実施例１】
【００１８】
図１（ａ）は本発明の画像処理装置の外観図、（ｂ）は操作表示部の外観図である。
【００１９】
画像処理装置Ｆの操作表示部６は、本図に示すように、操作表示画面６ａやファクシミリ機能設定キー６ｂ、複写機能設定キー６ｃ、テンキー６ｄ、ジョブを開始するためのスタートキー６ｅ、ジョブを中断または設定を解除するためのストップキー６ｆ等を含んで構成され、装置前面側の利用者が立って操作しやすい位置に配置されている。また、操作表示画面６ａは、図１（ｂ）に示すように、操作表示部６上に配置され、利用者が指でタッチしながら操作、表示することのできるタッチパネルにより構成されている。
【００２０】
図２は、本発明の画像処理装置Ｆの内部構成を示したブロック図である。
【００２１】
画像処理装置Ｆは、ＭＰＵ１、ＮＣＵ２、モデム３、読取部４、画像メモリ５、装置前面側に配置された操作表示部６、各種プログラムや定数データが保存されたＲＯＭ７、ＲＡＭ８、ＣＯＤＥＣ９、印字出力部１０を備えている。
【００２２】
ＭＰＵ１は、各プログラムにしたがって、上記各部を制御するとともに、後述するような複数ページからなる機能設定画面Ａ（図３参照）を操作表示画面６ａに表示する表示制御部を構成している。ＮＣＵ２は、公衆回線Ｎに対する発信、着信の網制御を行い、モデム３は、送受信データの変調および復調を行う。これらにより、ファクシミリ送受信を実行する。
【００２３】
読取部４は、フラットベットスキャナ（不図示）などを含んで構成され、原稿画像を読み取り、２値化した画像データを画像メモリ５に出力する動作を実行する。
【００２４】
操作表示部６は、図１で説明したように、タッチパネルなどで構成された操作表示画面６ａを含んで構成される。
【００２５】
ＲＡＭ８は、各種設定データや可変データが格納される。また、ＣＯＤＥＣ９は、読み取った画像データを送信するためにＭＨ、ＭＲ、ＭＭＲなどの方式により符号化する一方、受信した画像データを印字出力するために復号する機能を有している。
【００２６】
印字出力部１０は、読み取った画像や受信した画像を、手差しトレイやカセット等にセットした記録紙に出力する動作を実行する。
【００２７】
この画像記録装置Ｆは、読取部４で読み取った画像データを順次符号化したのち、いったん画像メモリ５に保存し、モデム３、ＮＣＵ２を介して、相手先のファクシミリ装置（不図示）に対して送信する一方、画像データを受信したときには、受信した画像データを画像メモリ５に保存し、順次読み出して復号して、印字出力部１０によって印字出力するファクシミリ送受信基本機能と、読取部４で読み取った原稿の画像データを記録紙に印字出力する機能とを備えている。
【００２８】
この画像処理装置Ｆでは、上記ファクシミリ送受信、複写機能などの機能設定を上記操作表示部６の操作表示画面６ａに表示させた機能設定画面Ａで行えるようになっており、機能設定をする際には、それぞれの機能設定画面Ａを各機能設定キー６ｂ、６ｃ操作により呼び出して、その画面内に設けた種々の設定項目ボタンを操作して、さらに下位階層の画面に切り替えて、それらの画面で個々の項目を設定できるようになっている。
【００２９】
なお、各設定項目のボタンには、現在の設定内容が表示されているので、わざわざ下位階層の画面に切り替えなくても設定内容がわかるようになっている。また、下位階層の画面に切り替えず、操作ごとに設定内容が切り替わるものを含んでもよい。
【００３０】
個々の機能設定画面Ａは、設定項目をメニュー形式で表示するものであるが、数多くの設定項目ボタンを操作表示画面６ａに表示させる必要があるため、本発明では、機能設定画面Ａを複数のページに分割して表示させるようにしている。
【００３１】
本実施例では、複写機能の場合、設定項目として、用紙選択、倍率、濃度、画質、ソートがあり、１ページ目に用紙選択、倍率、濃度の３項目を、２ページ目に画質、ソートの２項目を配置した２ページからなる機能設定画面Ａを切り替えて表示するようにしている。
【００３２】
本発明では、複数ページからなる機能設定画面Ａの画面構成、改ページ操作および切替表示の態様に特徴を有している。
【００３３】
以下に、機能設定画面Ａの切替表示動作を、図３および図４を参照しながら説明する。
【００３４】
図３は、操作表示画面６ａに表示される機能設定画面Ａの画面構成、改ページ操作および切替表示の態様を説明するもので、（ａ）は機能設定画面の初期表示、（ｂ）は改ページ操作時の画面切替遷移状態、（ｃ）は改ページ後の画面表示のそれぞれを示す図である。なお、図３（ｂ）の破線矢印は、画面の表示移動方向を示したもので、画面中に表示されるものではない。この例では、画面は右から左に移動して切替表示されるようになっているが、後述するように、画面を上から下に移動させる表示態様で切替を行ってもよい。
【００３５】
また図４は、機能設定画面Ａの切替表示動作を示すフローチャートである。
【００３６】
表示制御部１は、複写機能設定キー６ｃによる機能設定画面Ａの呼出を検出すると、用紙選択、倍率、濃度の各設定項目ボタンａ１、ａ２、ａ３を含んだ１ページ目の画面Ａ１を表示する（図３（ａ）および図４のステップ１０１）。
【００３７】
その画面Ａ１内には、現在のページ番号／全ページ数ｂ１である「１／２」と、次のページが存在することをよりわかりやすく表現した矢印ｂ２とを含ませた、あるいは伴わせた改ページ操作ボタンｂが画面右端に配置されており、さらに、その改ページ操作ボタンｂの周枠ｂ３は、その右端部側が枠なしに表示されている。
【００３８】
その状態で改ページ操作ボタンｂが操作されると、例えば、いったん画面を消去し、図３（ｂ）に示すように、２ページ目の画面Ａ２を表示エリアの右側から出現させ、図３（ｂ）に示すように、破線矢印方向に移動させる所定の切替アニメーション表示態様を経由してから、画質、ソートの各設定項目ボタンａ４、ａ５と、未登録の空きボタンａ６と、現在のページ番号／全ページ数ｂ１である「２／２」を含んだ改ページ操作ボタンｂとを表示させる（図３（ｂ）、（ｃ）および図４のステップ１０２〜１０４）。２ページ目も１ページ目と同様、改ページ操作ボタンｂの周枠ｂ３は、その端部側を欠落させて枠なしにて表示される。
【００３９】
改ページ操作ボタンｂの操作がされずに、各設定項目のボタンａ１〜５が操作された場合は、それぞれの詳細設定が可能な下位の階層画面（不図示）を表示させる（図４のステップ１０７、１０８）。
【００４０】
また、２ページ目が表示されている状態で改ページ操作がされると、先頭ページが再度表示される（図４のステップ１０２〜１０４）。
【００４１】
すなわち、複数ページからなる機能設定画面Ａは、スタートキー６ｅ操作やストップキー６ｆ操作、他の画面への切替操作などの当該画面の終了操作がされるまでの間、改ページ操作をするごとに順方向にサイクリックに表示切替を繰り返す（図４のステップ１０２〜１０４、１０７）。
【００４２】
以上のように、改ページ操作ボタンｂの操作がされるごとに、複数ページからなる機能設定画面Ａをサイクリックに表示切替するようにしているため、機能設定画面Ａが複数ページにまたがっていても簡単な操作で順次表示させることができ、利用者は設定項目の数や内容を容易に把握することができる。
【００４３】
また、改ページ操作ボタンｂを機能設定画面Ａの上、下、左、右いずれかの端部側に配置し、その改ページ操作ボタンｂの周枠ｂ３の端部側を枠なしにして表示するようにしたことで、そのページに続く画面が存在することを瞬時に理解させることができる。
【００４４】
さらに、改ページ操作ボタンｂが操作されたときには、次ページ画面を上記のような所定の切替表示態様にて表示するようにしているので、次ページに切り替わることを視覚的に理解させることができる。
【００４５】
なお、改ページによる表示切替は、順、逆両方向を可能としてもよい。すなわち、その場合には、改ページ操作ボタンｂを操作表示画面６ａに表示される機能設定画面Ａの右、左端に配置して、いずれかを操作すれば、次ページ、前ページへの切替が可能となる。またその場合には、サイクリック切替表示を可能としてもよいし、不可としてもよい。
【００４６】
図５は、本発明装置の改ページ操作時の他の切替表示態様を示したもので、（ａ）は機能設定画面Ａが操作表示画面６ａの上から出現する例、（ｂ）は、機能設定画面Ａが操作表示画面６ａの中央から徐々に拡大されて出現する例を示した図である。なお、図中の破線矢印は画面の表示移動方向を示したもので、画面中に表示されるものではない。
【００４７】
また、改ページ操作をしたときに現ページを表示消去し、操作表示画面６ａ中央等に「ページ切替中」などの文言を１秒間程度表示させ、その後、次ページに表示切替するようにしてもよい。
【図面の簡単な説明】
【００４８】
【図１】（ａ）は本発明の画像処理装置の外観図、（ｂ）は操作表示部の外観図である。
【図２】本発明の画像処理装置の内部構成の一例を示したブロック図である。
【図３】本発明の画像処理装置の操作表示画面で表示される機能設定画面の画面構成、改ページ操作および切替表示の態様を説明するもので、（ａ）は初期表示、（ｂ）は改ページ操作時の画面切替遷移状態、（ｃ）は改ページ後の画面表示のそれぞれを示す図である。
【図４】本発明の画像処理装置の表示動作を示したフローチャートである。
【図５】本発明の画像処理装置の改ページ操作時の他の切替表示態様を示したもので、（ａ）は機能設定画面が操作表示画面の上から出現する例、（ｂ）は、機能設定画面が操作表示画面の中央から徐々に拡大されて出現する例を示した図である。
【符号の説明】
【００４９】
Ｆ      画像処理装置
１      ＭＰＵ（表示制御部）
６      操作表示部
６ａ      操作表示画面（タッチパネル）
６ｂ      ファクシミリ機能設定キー
６ｃ      複写機能設定キー
Ａ      機能設定画面
ａ１〜ａ５      設定項目ボタン
ｂ      改ページ操作ボタン
ｂ１      現在ページ番号
ｂ３      改ページ操作ボタン表示枠
【図１】
2007142787.tif 000003
【図２】
2007142787.tif 000004
【図３】
2007142787.tif 000005
【図４】
2007142787.tif 000006
【図５】
2007142787.tif 000007